(57)【特許請求の範囲】
【請求項１】
回転方向に開閉可能な左右のピンボディーを備える髪止め具であって、
前記左右のピンボディーに別々にピンリブが設けられ、互いに噛み合うことで前記左右のピンボディーの開閉位置を固定するピン止め部が前記左右のピンボディーの前記ピンリブに設けられ、
前記左右のピンボディーに開閉装置が設けられ、前記開閉装置には、前記左右のピンボディーに別々に対応する結合部が設けられ、
前記左右のピンボディーを構成する左ピンボディーの結合部に、同軸上に穿孔を有する左第一延伸部および左第二延伸部が設けられ、
前記左右のピンボディーを構成する右ピンボディーの結合部に、同軸上に穿孔を有する右第一延伸部、右第二延伸部および右第三延伸部が設けられ、
前記右第二延伸部に、前記左右のピンボディーを開方向に付勢する捻り弾性デバイスが設置される第一溝部が設けられ、
前記右第三延伸部に、前記左右のピンボディーを互いに前記ピン止め部が噛み合う方向へ付勢させる圧縮弾性デバイスが設置される第二溝部が設けられ、
複数の前記穿孔、前記捻り弾性デバイスおよび前記圧縮弾性デバイスを貫通する軸が設けられ、
髪の毛を挟むとき、前記左右のピンボディーを開いて前記ピンリブの前記ピン止め部を噛み合わせ、
取外すとき、前記ピン止め部の噛み合いを解除するように前記開閉装置を前記軸の方向に押すことで取外し可能であることを特徴とする髪止め具。
【請求項２】
前記左ピンボディーにある結合部の延伸部は、複数であることを特徴とする請求項１記載の髪止め具。
【請求項３】
前記左第一延伸部の外側下方に弧縁部が設けられていることを特徴とする請求項２記載の髪止め具。
【請求項４】
前記右第一延伸部に、前記左第一延伸部が当接することで前記左右のピンボディーの開閉範囲を制限する最上端当接部が設けられていることを特徴とする請求項１記載の髪止め具。
【請求項５】
前記左右のピンボディーが展開状態を呈する時、前記右第三延伸部の弧縁外側は前記左ピンボディーの結合部にある前記左第二延伸部の内側に位置することを特徴とする請求項１記載の髪止め具。
【請求項６】
髪の毛を挟む時、前記右第三延伸部の弧縁外側は前記左第二延伸部の上方に位置し、前記左第二延伸部は前記右第三延伸部にある弧縁外側の下方に位置し、両者は分離状態になっていることによって、空間を形成することを特徴とする請求項５記載の髪止め具。
【請求項７】
前記右第二延伸部の前記第一溝部に割れ目が設けられていることによって、前記捻り弾性デバイスの両端は前記左右のピンボディーに当接することが可能であることを特徴とする請求項１記載の髪止め具。
【請求項８】
前記ピン止め部は、複数であることを特徴とする請求項１記載の髪止め具。
【請求項９】
前記ピン止め部は、一方向性の歯を有することを特徴とする請求項８記載の髪止め具。
【発明の詳細な説明】
【技術分野】
【０００１】
本発明は、髪止め具に関する。
【背景技術】
【０００２】
図１から図３に示すように、従来の髪止め具１は、左ピンボディー１１、右ピンボディー１２によって髪の毛を挟み、また、左ピンボディー１１、右ピンボディー１２の上方に別々に押圧部１１０、押圧部１２０を設け、押圧部１１０、押圧部１２０に軸座１１１、軸座１２１を設け、一つの軸１３によって捻りばね１４を貫通している。
【０００３】
従来の髪止め具１は、図２及び図３に示すように、捻りばね１４を利用し左ピンボディー１１と右ピンボディー１２とを密接結合させているため、使用者が髪止め具１を使用する時、必ず二本の指で押圧部１１０、押圧部１２０を押圧し、左ピンボディー１１と右ピンボディー１２とを開いてから、髪の毛を挟む。髪止め具１を髪の毛から取外す時に、必ず押圧部１１０、押圧部１２０を押圧し、左ピンボディー１１と右ピンボディー１２とを開くと、髪止め具を髪の毛から取外すことができる。このような髪止め具は、使用時において、髪止め具が持つべき髪の毛を挟む機能と目的を持っているが、直接左右のピンボディーを押圧しなければならず、使用時、力が必要であり、即ち、より大きな力で押圧しないと左右のピンボディーが開かないため、使用上不便である。
そこで、本発明者は、長年の髪止め具の設計及び製造経験を生かし、上記従来品の欠点に対して、研究と設計をした上、本発明を発明した。
【発明の開示】
【発明が解決しようとする課題】
【０００４】
本発明の目的は、髪の毛を充分に固定し、良好な飾り効果が得られる髪止め具を提供することにある。
【課題を解決するための手段】
【０００５】
本発明の髪止め具の場合、髪の毛を挟む時、左右のピンボディーを閉合させ、また、左右のピンボディーのピン止め部を互いに結合させるだけで、髪の毛を挟むことができる。
本発明の髪止め具は、左右のピンボディーに対応するピン止め部を設け、ピンボディーで髪の毛を挟んだ後、左右のピンボディーは対応するピン止め部を利用し、互いに結合することによって、髪の毛を挟む。
使用者は、髪止め具を用いて髪の毛を挟む時に、左右のピンボディーを操作するだけで、上記のピン止め部を噛合わせ、髪の毛を固定することができる。
【０００６】
本発明の髪止め具は、髪の毛から取外す時、左右のピンボディーの両側を押圧するだけで、左右のピンボディーが自動的に開き、髪止め具が外される。
本発明の髪止め具は、左右のピンボディーに開閉装置を設け、開閉装置には左右のピンボディーに別々に対応する結合部を設け、一つの軸が結合部、圧縮弾性デバイス及び捻り弾性デバイスを貫通している。よって、開閉装置を軸方向に押圧すると、左右のピンボディーが開く。
【発明を実施するための最良の形態】
【０００７】
（第１実施形態）
本発明の第１実施形態による髪止め具を図４から図７に示す。髪止め具のピンボディーは、左ピンボディー２、右ピンボディー３からなり、左ピンボディー２、右ピンボディー３に別々に複数のピンリブ２０、ピンリブ３０が設けられている。左ピンボディー２、右ピンボディー３のピンリブ２０、ピンリブ３０は交差状を成して配列し、左ピンボディー２、右ピンボディー３のピンリブ２０、ピンリブ３０に対応するピン止め部２００、ピン止め部３００を設ける。ピン止め部２００およびピン止め部３００を利用し、左ピンボディー２、右ピンボディー３のピンリブ２０とピンリブ３０とを結合させることによって、髪の毛が固定される。また、複数のピン止め部２００、ピン止め部３００を利用し、髮の毛の量によって挟み効果を調整する（図８及び図１０参照）。よって、使用者が髪止め具を用いて、髪の毛を挟む時、手で左右のピンボディーを閉合（図７から図１１参照）させるだけで、左ピンボディー２、右ピンボディー３のピンリブ２０とピンリブ３０とが交差状態で結合し、髪の毛を挟むことができる。このとき、ピンリブ２０、ピンリブ３０にあるピン止め部２００とピン止め部３００とを噛合わせると、左ピンボディー２と右ピンボディー３とが互いに結合し、髪の毛が挟まれる。ピンリブ２０、ピンリブ３０にあるピン止め部２００、ピン止め部３００は複数でありながら、歯は一方向性の設計になっているので、使用者は挟んだ髪の毛の量によって、自由にピン止め部２００とピン止め部３００（図８及び図１２参照）の結合位置を調整することができ、髮の量によって機能を発揮する実用的な設計がなされている。
【０００８】
（第２実施形態）
本発明の第２実施形態による髪止め具を図１５から図１７に示す。第２実施形態の場合、ピンリブ２０、ピンリブ３０が上記第１実施形態と異なり、対応するピン止め部２００、ピン止め部３００を設置せず、代わりに左ピンボディー２、右ピンボディー３の対応壁面に別々に上記第１実施形態のピン止め部２００、ピン止め部３００と同様の効果を持つピン止め部２０１、ピン止め部３０１を設置する。
【０００９】
本発明では、左ピンボディー２、右ピンボディー３に開閉装置を設け、開閉装置には左ピンボディー２、右ピンボディー３に別々に対応する結合部２１、結合部３１を設け、結合部２１（図４から図６参照）の両側に左第一延伸部２１０、左第二延伸部２１１を設け、左第一延伸部２１０、左第二延伸部２１１には穿孔２１２が形成され、左第一延伸部２１０の外側下方に弧縁部２１３が設けられている。結合部３１（図４から図６参照）には右第一延伸部３１０、右第二延伸部３１１、右第三延伸部３１２が設けられている。右第二延伸部３１１および右第三延伸部３１２には穿孔３１３が形成され、右第一延伸部３１０に最上端当接部３１８を設けることより、左右のピンボディーの開閉範囲を制限することができる。最上端当接部３１８が結合部２１にある左第一延伸部２１０の末端最上端に当接する（図５及び図６参照）と、左右のピンボディーの回転作動と開閉範囲とを制限するので、髪の毛を挟む操作の利便性が向上する。
【００１０】
また、本発明では、右第二延伸部３１１に第一溝部３１４を設け、第一溝部３１４に割れ目３１５を設けてあるので、第一溝部３１４の捻り弾性デバイス４（図５、図６、図９参照）を利用することによって、捻り弾性デバイス４の両端が左右のピンボディー（図７及び図８参照）の最上端に当接すると、捻り弾性効果が生じる。また、右第三延伸部３１２にも第二溝部３１６及び弧縁外側３１７（図４及び図６参照）を形成し、第二溝部３１６には圧縮弾性デバイス５を設置することも可能で、圧縮弾性デバイス５の片側は上記の第二溝部３１６の内側最上端に当接し、もう片側は上記の結合部２１にある左第一延伸部２１０の内側最上端に当接するので、圧縮ばねの伸びる力を適時提供する。また、軸６を上記の左ピンボディー２、右ピンボディー３にある結合部２１、結合部３１の穿孔２１２、穿孔３１３及び捻り弾性デバイス４と圧縮弾性デバイス５に貫通させると、髪止め具が完成する。
【００１１】
ここまでを総合すると、髪止め具で髪の毛を挟む前は、図７に示すように、捻り弾性デバイス４を利用し、左ピンボディー２、右ピンボディー３を反対方向に回転作動させ、このとき、右第三延伸部３１２にある弧縁外側３１７は上記の結合部２１にある左第二延伸部２１１の内側位置へ移動し、上記の右第三延伸部３１２にある弧縁外側３１７は上記の結合部２１にある左第二延伸部２１１の内側最上端に当接しているので、左ピンボディー２と右ピンボディー３は完全に展開状態を呈する。更に、右第三延伸部３１２にある弧縁外側３１７と結合部２１にある左第二延伸部２１１が互いに最上端に当接しているため、左ピンボディー２、右ピンボディー３は押圧されていない状態になり、髪止め具の展開と維持が確保され、髪の毛を挟むのに役立つ。
【００１２】
使用者が髪止め具を用いて、髪の毛を挟む時、展開した状態の左ピンボディー２と右ピンボディー３とを内側方向に向かって押圧するだけで、ピンリブ２０、ピンリブ３０のピン止め部２００、ピン止め部３００は圧縮弾性デバイス５の伸びる力のため、髮の毛の量によって自動的に噛合い、かつピン止め部２００、ピン止め部３００は一方向の噛合い効果を持っているので、噛合機能が一層発揮される。また、このとき、右第三延伸部３１２にある弧縁外側３１７と結合部２１にある左第二延伸部２１１の両者は同心同軸設計になっているので、髪の毛を挟むとき、右第三延伸部３１２にある弧縁外側３１７は結合部２１にある左第二延伸部２１１の上方に位置し、かつ結合部２１にある左第二延伸部２１１は右第三延伸部３１２にある弧縁外側３１７の下方（図８、図９及び図１３参照）に位置する。このとき、両者は分離状態（図９及び図１０参照）を示し、即ち、左ピンボディー２、右ピンボディー３はピンリブ２０、ピンリブ３０のピン止め部２００、ピン止め部３００のみと結合し、同時に圧縮弾性デバイス５を利用して、左ピンボディー２、右ピンボディー３を逆方向へ押出し、ピン止め部２００とピン止め部３００の結合は更に密接になるために、髪の毛を挟む効果が増強される。
【００１３】
本発明の場合、従来品のように、捻りばねの弾力を利用することによって、髪の毛を挟む構造の特徴とは全く異なっている。そして、本発明の場合、左ピンボディー２、右ピンボディー３にある結合部２１、結合部３１は分離状態を呈しているために、使用者が髪止め具を取外す時に、開閉装置（図１２参照）を軸方向に押すだけで、結合部２１にある左第二延伸部２１１は右第三延伸部３１２にある弧縁外側３１７の下方（図１３参照）に進入するので、左ピンボディー２、右ピンボディー３にあるピンリブ２０、ピンリブ３０のピン止め部２００とピン止め部３００とを分離させる（図１３及び図１４参照）ことができる。このとき、捻り弾性デバイス４を利用し、左ピンボディー２、右ピンボディー３を自動的に開かせると、髪止め具がスムーズに外されるので、操作便利性と革新的な特徴を持ちながら、より良好な飾り効果が得られる。
【図面の簡単な説明】
【００１４】
【図１】従来の髪止め具を示す側面図である。
【図２】従来の髪止め具の髪の毛を挟む状態を示す模式図である。
【図３】従来の髪止め具の髪の毛を挟む状態を示す後面図である。
【図４】本発明の第１実施形態による髪止め具を示す分解斜視図である。
【図５】本発明の第１実施形態による髪止め具の展開した状態を示す模式図である。
【図６】本発明の第１実施形態による髪止め具の展開した状態を示す斜視図である。
【図７】本発明の第１実施形態による髪止め具の展開した状態を示す側面図である。
【図８】本発明の第１実施形態による髪止め具の結合した状態を示す側面図である。
【図９】本発明の第１実施形態による髪止め具の結合した状態を示す模式図である。
【図１０】本発明の第１実施形態による髪止め具の挟む状態を示す斜視図である。
【図１１】本発明の第１実施形態による髪止め具の髪の毛を挟む状態を示す模式図である。
【図１２】本発明の第１実施形態による髪止め具の手で髪止め具を押圧して取外す状態を示す模式図である。
【図１３】本発明の第１実施形態による髪止め具の手で髪止め具を押圧して取外す状態を示す模式図である。
【図１４】本発明の第１実施形態による髪止め具の取外す状態を示す斜視図である。
【図１５】本発明の第２実施形態による髪止め具の結合した状態を示す模式図である。
【図１６】本発明の第２実施形態による髪止め具の手で髪止め具を押圧して取外す状態を示す模式図である。
【図１７】本発明の第２実施形態による髪止め具の展開した状態を示す斜視図である。
【符号の説明】
【００１５】
２：左ピンボディー、３：右ピンボディー、４：捻り弾性デバイス、５：圧縮弾性デバイス、６：軸、２０：ピンリブ、２１：結合部、３０：ピンリブ、３１：結合部、２００：ピン止め部、２０１：ピン止め部、２１０：左第一延伸部、２１１：左第二延伸部、２１２：穿孔、２１３：弧縁部、３００：ピン止め部、３０１：ピン止め部、３１０：：右第一延伸部、３１１：右第二延伸部、３１２：右第三延伸部、３１３：穿孔、３１４：第一溝部、３１５：割れ目、３１６：第二溝部、３１７：弧縁外側、３１８：最上端当接部。
【図１】
0004616329.tif 000002
【図２】
0004616329.tif 000003
【図３】
0004616329.tif 000004
【図４】
0004616329.tif 000005
【図５】
0004616329.tif 000006
【図６】
0004616329.tif 000007
【図７】
0004616329.tif 000008
【図８】
0004616329.tif 000009
【図９】
0004616329.tif 000010
【図１０】
0004616329.tif 000011
【図１１】
0004616329.tif 000012
【図１２】
0004616329.tif 000013
【図１３】
0004616329.tif 000014
【図１４】
0004616329.tif 000015
【図１５】
0004616329.tif 000016
【図１６】
0004616329.tif 000017
【図１７】
0004616329.tif 000018